(57)【要約】      （修正有）【課題】複数のフォント対応のデータ識別方式を提供する。【解決手段】計算機システムから物理的に離れた場所における計測機器の液晶画面の計測結果又は液晶テレビジョン映像の商品番号又はカタログやチラシで表示される商品番号の数字情報を、携帯電話機に具備されている写真メール機能を使って計算機システムに送り画像数字情報を識別しディジタル数字化する。その時に測定値や商品番号の位置抽出を容易にするための識別マーカーの採用、識別マーカーの３点を用いて８進１桁と扱い対象となる被写体、識別テンプレート及び数字フォントの選択、対象数字桁毎の背景を使用した補正フォントを用いた識別精度向上を行っている。【選択図】図１
2014137713.tif 000002
【特許請求の範囲】
【請求項１】
計算機システムから物理的に離れた場所における計測機器の液晶画面の計測結果又は液晶テレビジョンの映像の商品番号又はカタログやチラシで表示される商品番号の数字情報を携帯電話機に具備されている写真メール機能を使って計算機システムに送られてきた数字画像情報を計算機システムで画像解析し送られてきた数字画像情報に使われている数字のフォントを認識しそれを使ってディジタル数字情報化する共にディジタル数字情報と画像情報の双方の情報をデータとして取り込むデータ識別方式。
【請求項２】
測定値識別マーカーを計測機器の測定結果表示画面の四隅に配置することを特徴とする請求項１記載のデータ識別方式。
【請求項３】
測定値識別マーカーの基点とそれを除く３点による８進１桁を使用して対象となる被写体を認識することを特徴とする請求項２記載のデータ識別方式。
【請求項４】
使用する計測機器の液晶画面の計測結果表示及び液晶テレビジョンの映像に映し出される商品番号表示並びにカタログやチラシで印刷されている商品番号表示の数字情報それぞれに対する識別テンプレートと数字フォントからなる管理テーブルを設けたことを特徴とする請求項１〜３記載のデータ識別方式。
【請求項５】
対象数字桁毎の背景画像を切り出しフォントと組み合わせて作成した数字フォントを用いることを特徴とする請求項１〜４記載のデータ識別方式。
【発明の詳細な説明】
【技術分野】
【０００１】
計算機システムから物理的に離れた場所における複数種類の計測機器で液晶画面に表示される複数の異なる種類のフォントの数字情報を、携帯電話機に具備されている写真メール機能を使ってインターネットを介し計算機システムに画像として送り、計算機システムで受け取った写真情報を画像解析し、ディジタル数字情報化してディジタル数字情報と画像情報の双方の情報をデータとして取り込む複数のフォント対応のデータ識別方式。
【０００２】
又宅配のカタログに印刷された商品番号およびテレビのコマーシャルで流され液晶テレビジョン画面に映し出された商品番号の複数種類の数字情報を携帯電話機に具備されているカメラ機能を使って写真（画像）の形で入力した場合でも対応できるデータ識別方式。
【背景技術】
【０００３】
従来のデータ入力方式を用いた高齢者在宅生活支援システムの構成は、バイタル・センサー、携帯電話機、計算機システムから成る。
バイタル・センサーに関しては、家庭用の血圧計、血糖値計、体重計、歩数計が用いられている。携帯電話機は手入力を除き入力方式によってそれぞれ必要とする機能が異なるため、特別な機能を付加する必要がある。
【０００４】
計算機システムには在宅生活支援システムがインストールされており、その構成は在宅健康管理システムと宅配管理システムからなる。
在宅健康管理システムは携帯電話機とのインターフェースを有し、携帯電話機に入力されたバイタル・データを受け取り、データ管理、時系列グラフを作成し、利用者（指導対象者）ごとのスケジュール管理や指導実施内容の管理を行う。
さらに医師、保健師ごとのスケジュール管理も行われており、全てにおいて連携が図られている。医師は療養指導、保健師は保健指導を行うにあたり在宅健康管理システムで作成した利用者個人の健康データを使うことができる。
【０００５】
従来の携帯電話機を用いた入力方式には利用者が携帯電話機のプッシュ釦を使ってデータを入力する手入力方式、バイタル・センサーと携帯電話機に双方にFelica機能を搭載した近距離非接触通信入力方式がある。
又個別のバイタル・センサーとしては血糖値計と携帯電話機の間を機器接続アダプターで物理的に結んだアダプター接続入力方式や歩数計を内蔵した機器内蔵入力方式がある。
カメラ付き携帯電話の多くはＱＲコード(登録商標）対応になっており、携帯電話機内蔵カメラでＱＲコード(登録商標）を撮影し、ＱＲコード(登録商標）の情報内容を認識させる入力方式がある。以下、図２で従来の入力方式について説明する。
【０００６】
図２の２２は携帯電話機のプッシュ釦を使ってデータを入力する手入力方式で、バイタル・センサーが血圧計の場合、利用者は血圧を測り、その結果が血圧計の液晶画面に表示されると、その値を見て携帯電話機のプッシュ釦を押して血圧の値を携帯電話機に手入力し、計算機システムに送る入力方式である。
【０００７】
図２の２３はバイタル・センサーと携帯電話機双方にFelica機能を搭載した近距離非接触通信入力方式で、例えばFelica機能搭載のバイタル・センサーが血圧計の場合、利用者が血圧を測った後、血圧計に携帯電話機を翳すことで、血圧計の測定結果を携帯電話機に取り込み計算機システムに送る入力方式である。
【０００８】
図２の２４はバイタル・センサーと携帯電話機の間を機器接続アダプターで物理的に結んだアダプター接続入力方式で、バイタル・センサーが血糖値計の場合、利用者が測った血糖値を直接にアダプターを介して血糖値計から携帯電話機にデータ入力する方式である。
【０００９】
図２の２５はバイタル・センサーを携帯電話機に内臓した入力方式で、例えばイタル・センサーが歩数計の場合、利用者が携帯電話機を持って歩くと、その歩数が自動的に測られるデータ入力方式である。
【００１０】
図２の２６はＱＲコード(登録商標）入力方式で、具体的には広告や地図の印刷媒体やウェブ画面において、詳細情報のあるウェブサイトや、携帯端末向けウェブサイトのＵＲＬを記録したＱＲコード(登録商標）を表示し、該当するサイトへのアクセスを容易にするために使われている。
【００１１】
宅配管理システムは顧客の自宅からの固定電話機や携帯電話機による注文を受けて、商品の受注から顧客宅への配達を管理すると共に、顧客の過去の買上情報を呼び出して対象顧客の識別、顧客・地区毎の期間別売上比較、配達情報集計をすることができ、売上・仕入・顧客分析に当っては図表やグラフでの表示でリアルタイムにチェックすることができる。
【先行技術文献】
【特許文献】
【００１２】
【特許文献１】特許第2938338号
【非特許文献】
【００１３】
【非特許文献１】健康づくり手帳システム『ヘルスメックダイアリー』
【発明の概要】
【発明が解決しようとする課題】
【００１４】
対象となる測定機器の入力端末として使用する携帯電話機は、機種を問わないこととする。
【００１５】
計測機器と携帯電話機の新機種が出ると必要になる新機種対応のアダプターの開発を不要とする。
【００１６】
従来の携帯電話機によるＱＲコード(登録商標）入力方式を除くデータ入力方式で必要な携帯電話機上に載せるアプリケーション・ソフトウェアをインストールすることを不要とする。
【００１７】
近距離非接触通信機能や機器接続アダプターのハード・ウェアの内臓または外付けをなくし、利用者が払うコストを標準コストだけとする。
【００１８】
携帯電話機のアプリケーション・ソフトウェアのインストール（ダウン・ロード）の作業を不要とし、利用者、特にお年寄りでも簡単に利用可能とする。
【００１９】
計測機器のバック・ライトの無い液晶表示画面の測定結果を写真に撮り入力した数字画像でも識別可能とする。
【００２０】
写真に写された計測機器の計測機器本体とその数値結果の表示エリア及び数値の各桁の位置を容易に識別可能とする仕組みを具備する。
【００２１】
計測機器の数値結果だけでなくカタログに印刷されたの商品番号や液晶テレビジョンの画面に表示された商品番号を同じに識別できるようにする。
【００２２】
異なった条件で撮影された数字画像情報の画質を補正可能とする。
【課題を解決するための手段】
【００２３】
端末として特殊な遠隔端末を開発することなく誰でも入手でき、子供からお年寄りまで情報弱者を出さないユニバーサル・デザインに富んだ、携帯電話機の中でも日常的に誰でもが使い慣れている写真メールという標準機能を入力ツールとして使った。
【００２４】
又携帯電話機のプログラム変更があっても画素数以外変更が起ることがない写真という媒体を採用した。
【００２５】
写真メールという携帯電話機の標準機能を使用して画像化した数字情報を計算機システムに送った後、データ識別を計算機システムで全て取り扱うこととした。
【００２６】
計算機システムで全ての取り扱いができるようにシステムを組んだことにより、携帯電話機では常に標準機能のみ使用することになり、利用者にとって操作的・費用的な負担のないシステムとした。
【００２７】
写真メールで送られてきた画像から画像数字情報のエリアを特定するための測定値識別マーカーを計測機器の測定結果表示画面の四隅に貼ったり、カタログの商品番号の四隅に印刷したり、テレビ・コマーシャルの映し出す商品番号の四隅に映して、写真メールで送られてきた画像の中に測定値識別マーカーが写し込まれるようにすることで、画像数字情報のあるエリアを容易に識別できるようにした。
【００２８】
四隅に配置した測定値識別マーカーの基点とそれを除く３点を８進１桁として使用し、対象となる被写体を認識できるようにした。
【００２９】
この測定値識別マーカーは基点を除く３点による８進１桁０〜７までで示される数字情報を項目番号とし、識別して８項目ある中の一項目を選択し今送られてきた数字情報の被写体、識別テンプレート、数字フォントを取り出すことのできる管理テーブルを作成した。
【００３０】
管理テーブルにある被写体は測定機器の種類であり、カタログに印刷された商品の種類や液晶テレビジョンに映しだされる商品の種類である。
【００３１】
管理テーブルにある識別テンプレートは使用する測定機器に貼られた測定値が写されているエリアを示すテンプレートであり、カタログに印刷された商品の商品番号が写されているエリアや液晶テレビジョンに映しだされる商品の商品番号が写されているエリアを示すテンプレートで、送られてきた写真の数値情報のエリアを識別する。
【００３２】
又識別テンプレートは測定器機の測定結果表示画面に写し出される測定値の各桁が識別できるようになっており、写真メールで送られてきた測定値を各桁毎に切り出すことができるように作られている。
【００３３】
識別テンプレートの四隅に記されているマーカーと写真メールで送られて測定器機の画像の四隅に写っているマーカーを合わせることで、測定器機画像の数字画像情報のあるエリアを識別することができる。
【００３４】
管理テーブルにある数字フォントは使用する測定機器で使用されている測定結果を表示する数字のフォントであり、カタログに印刷された商品の商品番号で使用されている数字のフォントも液晶テレビジョンに映しだされる商品の商品番号で使用されている数字のフォントも管理テーブルに前以って登録しておく。
【００３５】
写真メールで送られてきた測定機器の測定結果表示画面がバック・ライト無しの液晶画面の場合、測定条件の違いで測定値の背景の色彩が異なる。測定値の桁毎に背景画像を切り出して数字フォントと組み合わせて作成することで、背景の色彩が異なることに影響の少ない補正フォントを作成した。
【００３６】
この補正フォントは、数字画像情報を識別しディジタル数字情報化する度に作成する。
それ故、送られてきた写真に写されている数字情報の桁毎のエリアから抽出された背景サンプルと管理テーブルから取り出された数字フォントとが重ね合わせてされて個々に作成されているため、送られてきた数字画像情報の写された条件に近いフォントとなっている。
この補正フォントを使用して送られてきた数字画像情報の値を識別する。
【００３７】
図１は計測機器の測定結果を写し、写真メールで送られて来た写真による数字画像情報を、数字画像解析・抽出プログラムで閾値固定をし、ディジタル数字情報化するフローを示している。以下にその手順を説明する。
【００３８】
図１において、ユーザー登録時、測定値位置およびアプリケーション・システムの在宅管理システムの血圧計を識別するための測定値識別マーカーを、測定値識別マーカー貼付テンプレートを使って血圧計の画面側に貼付する。この時測定値識別マーカーの基点とそれを除く３点による８進１桁（０〜７）を使ってアプリケーション・システムとシステムが使用する血圧計を示す“００１”になるよう測定値識別マーカーを貼り付ける。
【００３９】
貼付する測定値識別マーカーは赤と緑の２色を使用し、赤色を“１”、緑色を“０”と意味づけし、左上は基点として赤色のマーカーを貼る。
赤と緑の２色の測定値識別マーカーは市販のマーカーでよく、このデータ識別方式用のマーカーを新たに作る必要はない。
【００４０】
併せてユーザー登録時に血圧計の測定結果表示液晶画面に強い反射による誤認識を防止するための乱反射防止フィルターを貼り付ける。
この乱反射防止フィルターも市販の製品でよい。
【００４１】
使用する血圧計を示す“００１”は、使用するアプリケーション・システム（在宅健康管理システム）だけでなく血圧計の測定値を切り出すための識別テンプレート、血圧計で使用されている数字フォントを示しており、それで選択される情報は前以って管理テーブルに登録しておく。
【００４２】
測定値識別マーカーと乱反射防止フィルターが貼られている血圧計を使って血圧を測定する。
【００４３】
測定後、測定結果表示画面に表示された血圧の測定値を中心に、血圧計全体の写真を携帯電話機のカメラ機能を使って撮影する。
【００４４】
携帯電話機で撮影された血圧計の写真（画像）を携帯電話機の写真メール機能を使って、計算機システムに送る。
【００４５】
計算機システムでは撮影された血圧計と表示画面に表示された血圧の測定値を受け取り、送られてきた写真から測定値識別マーカーを認識し、使用するアプリケーション・プログラムが在宅健康管理システムで使用計測機器が血圧計を示す“００１”を識別する。
【００４６】
画像からの四隅の測定値識別マーカーの取り出しは、まず、画像を色相、飽和度、輝度に分けて行う。
【００４７】
基点の色は左上に位置する赤と定義してあるので、色相、飽和度、輝度を満たす点を、赤とする。
【００４８】
次に、取得した画像のピクセル数に、上限と下限をつけ、ノイズと背景の広い場所を削除する。
【００４９】
上記により、取り出した領域が既定の個数なら、取り出しを完了し、その領域の中心を求めて比較し、四隅にある測定値識別マーカーを識別する。
【００５０】
この過程で計算機システムが識別した“００１”から測定値切り出しのための識別テンプレートと血圧計で使用されている数字フォントを管理テーブルから取り出す。
【００５１】
測定値のある位置は、それぞれの四隅にある測定値識別マーカーを使って識別テンプレートが測定値の上にくるように調整する。
【００５２】
調整にあたっては、識別テンプレートを縮小拡大および回転角度調整を行う。
続いて識別テンプレートで示される各桁毎のエリアと送られてきた測定値の桁毎の調整を行う。
【００５３】
計測機器を撮影するとき、測定値を正面からずれずに撮影できることは少ない。そのため補正をするには、回転と大きさの変換だけでは補正できないため、測定値識別マーカーの四隅のマーカーを使用し、透視変換を行う。
【００５４】
調整にあたっては、識別テンプレートを縮小拡大および回転角度の調整を行う。そうして識別された測定値のエリアを更に桁毎に調整をしていく。
【００５５】
測定値識別マーカーを貼った４点を使用して行った補正により識別された測定値の表示された各桁の枠を、識別テンプレートと比較しながら確定していく。
【００５６】
補正フォントは測定値の桁毎に取り出された枠の中の「背景エリア」の輝度と事前に登録してある背景サンプルの輝度を比較して閾値を定め、これも事前に数字毎に定めてある閾値を合わせて定義される。
上記の手法で送られて来た測定値の各桁の二値画像とあらかじめ用意されていた補正フォントの基準数字二値とのマッチングをし、最もマッチした値を数値とする。
【００５７】
以上の手順で画像情報を識別しディジタル数字情報を抽出した計算機システムはディジタル数字情報とオリジナルの数字情報の画像情報をアプリケーション・システムに送る。
【発明の効果】
【００５８】
計算機システムから物理的に離れた場所において数字情報と画像情報を携帯電話機の標準機能である写真メールを使って画像で入力する方式で、利用者が所有する携帯電話を使ってデータが入力できるため、特別な入力端末を用意する必要がない。
【００５９】
写真メール機能という子供からお年寄りまで日常的に使っている機能で入力し計算機システムに送ればよい方式であるため、ユニバーサル・デザインに富んだ、利用者にとって操作的・費用的に負担の少ないシステムである。
【００６０】
機能変更が頻繁にある携帯電話機でプログラム変更をせずに計算機システムだけの変更で対応できるため、端末の機能変更や増設などのコストが発生しない。
【００６１】
携帯電話機が端末であり、端末側にプログラムをインストールしたり変更する必要がないため、離れた地点にいる人々を利用者として増やすことが可能となるメリットがある。
【００６２】
携帯電話機が一台あれば、同時に計測機器の測定結果を表示する液晶画面と商品番号が印刷されている広告が異ったフォントであれ、写真メールを使って入力することができる。
【００６３】
数字情報を含む画像情報を取り込むことで、データ取り込み後に数字情報と画像情報を比較することで、取り込んだデータ、数字情報抽出の誤りをチェックできるというメリットがある。
【００６４】
計測機器の場合、測定値の画面の四隅にマーカーを貼るだけで、新たに特別な計測機器を製作する必要はない。
【図面の簡単な説明】
【００６５】
【図１】複数フォント識別・数字切り出し・照合・ディジタル数値化のイメージ図
【図２】携帯電話数字情報写メール・データ入力方式のイメージ図
【図３】被写体別マーカー貼付位置テンプレート・数字フォント選択テーブルのイメージ図
【図４】従来の携帯電話によるデータ・エントリーのイメージ図
【図５】在宅健康管理システムへの応用例のイメージ図
【図６】宅配弁当管理システムへの応用例のイメージ図
【発明を実施するための形態】
【００６６】
システムは計測機器、家庭用液晶テレビ、カタログ、携帯電話機、計算機システムからなる。
【００６７】
計算機システムから物理的に離れた場所において利用者は自己所有の携帯電話機を用い、入力したい計測器で表示される液晶の数字情報やテレビ・コマーシャルで流される映像の数字情報や印刷物の数字情報をカメラ機能で撮影する。
【００６８】
利用者がカメラで写した数字情報の画像（写真）を携帯電話機の写真メール機能を使って計算機システムに送る。この時、計算機システムに容易に送信できるよう、利用者の携帯電話機のワンラッチ釦に計算機システムのメール・アドレスを登録し、計算機システムには利用者の氏名、住所、メール・アドレス、電話番号などの利用者情報を登録しておく。
【００６９】
計算機システムでは計算機システムから物理的に離れた場所にいる利用者から送られてきた写真メールによる数字情報の画像を計算機システムで画像解析を施し、画像として送られてきた計測機器に貼付したマーカーによる位置情報とアプリケーション・システム識別情報と数字情報をディジタル情報として抽出する。
【００７０】
計算機システムは利用者が撮影し写真メールで送ってきた画像から抽出したディジタル数字情報とオリジナルの数字情報の画像情報をアプリケーション・システムに送る。
【実施例】
【００７１】
例えば高齢者在宅生活支援システムであれば、そのサブシステムが在宅健康管理の場合、自宅にあるバイタル・センサーのひとつである血圧計で血圧を測り、血圧計の測定結果の液晶画面に表示されている値を、携帯電話機で撮影し、数字情報画像として写真メールで計算機システムに送る。
【００７２】
計算機システムでは、システムに具備している数字画像解析・抽出プログラムを使って数字画像をディジタル数字に変換して、同じくシステムに具備している在宅健康管理システムに渡す。
【００７３】
数字画像解析・抽出プログラムでは写真メールで送られてきた、例えば、血圧計の測定値を含む液晶画面の正面の写真を受け取り、その画像から測定値が写っている部分を切り出す。
【００７４】
この測定値を切り出すにあたり、測定値部分を区分するために４隅にマーカーが貼られている。このマーカーは基点を除く３点を８進１桁（０〜７）の識別記号として使われ、血圧計で使われている数字フォントの種類、表示形式、測定機器画面および数字の桁ごとの位置を示す数字位置テンプレートを読み取る。
【００７５】
読み取った測定値の数字を、数字位置テンプレートを用いて桁ごとに切り出し、血圧計で使用している数字フォントと照合、ディジタルの数字として桁毎に照合・抽出し、全ての桁数の照合・抽出が済むと、測定値のディジタル数値化が完了する。
【００７６】
写真メールで送られてきた写真には被写体の種類、血圧計、血糖値計、宅配弁当のカタログの別、数字位置を示すテンプレート、使われている数字のフォントを識別するテーブルを識別するマーカーが写されている。
【００７７】
マーカーの基点を除く３点による８進１桁（０〜７）の識別記号は“１”が血圧計、“２”が血糖値計、“３”が体重計、“４”が宅配弁当を示し、それぞれには、数字位置テンプレートと数字フォントが用意されている。図１では“１”が血圧計を選択し、測定値をディジタル化した後、ディジタル化した測定値を持って在宅健康管理システムに移行する。
【００７８】
在宅健康管理システムでは、利用者が送られてきた日頃の健康（バイタル）測定データを健康カルテとしてまとめ、担当の医師、保健師・看護師がその健康データを考察し、必要に応じて利用者とＴＶ電話機能を用いて問診を行い生活習慣の改善のアドバイスする。月１回はレポートを作成して利用者に送り、利用者の生活習慣改善に役立てる。場合によっては利用者に主治医の診断を受けるよう促す。
【００７９】
データに不信があれば、在宅健康管理システムで、管理者が目視で、画像解析後のディジタル文字情報に誤りがないか、一緒に送られてきたオリジナルの血圧計の画像と比較・修正できる。
【００８０】
そのシステムが宅配弁当管理システムであれば、顧客は自宅に前以って配布されてある弁当のメニューを見て、購入したい弁当の番号を携帯電話機で撮影し、数字情報画像として写真メールで計算機システムに送り、弁当の発注を行う。この時、メニューの弁当番号の四隅には弁当番号切り出し用のマーカーが印刷されている。
【００８１】
以降のプロセスは在宅健康管理システムと同じステップを辿り、宅配弁当管理システムは顧客の自宅からの携帯電話機による注文を受けて、商品の受注から顧客宅への配達を管理すると共に、顧客の過去の買上情報を呼び出しての対象顧客の識別、顧客・地区毎の期間別売上比較、配達情報集計をすることができ、売上・仕入・収納・顧客ＡＢＣ分析に当っては図表やグラフでの表示でリアルタイムにチェックする。
【００８２】
宅配弁当管理システムでも在宅健康管理システムと同じ様に医師や栄養士の健康アドバイスを受けることができる。宅配された弁当のカロリーが計算されており、在宅健康管理システムと同じ問診機能により、弁当を食べた量（残した量）をセンターに報告することにより、食したカロリー量を計算できる。
【００８３】
また、在宅健康管理システムと連動させて、体重を測り、カロリー・体重関連グラフを見ることにより、確実にメタボリック・シンドロームの予防に繋げる。
【００８４】
高齢者在宅生活支援システムは、以上のように、外に出ることが少なくなった高齢者の健康や買物の支援を行う。
【００８５】
図２の在宅健康管理システムの構成はバイタル・センサー、携帯電話機、計算機システムから成る。以下にこの発明で必要なそれぞれの機能を説明する。
【００８６】
バイタル・センサーに関しては、家庭用の血圧計で説明する。血圧計は利用者の血圧を計測し、その結果を液晶画面に数字で表示する。
【００８７】
携帯電話機ではカメラ機能、写真メール機能、ワンタッチ・メール通信釦機能の標準機能を使用する。
【００８８】
カメラ機能は利用者が人・物・景色を撮影する機能である。当該発明では利用者が血圧を測定し、液晶画面に数字で表示された自身の血圧の数値結果を撮影する。
【００８９】
写真メール機能はバイタル・センサーの測定値液晶画面を撮影した写真を、メール機能を用いてインターネットを介して相手方に伝送する機能である。当該発明では利用者がカメラ機能で撮影した自身の血圧の数値結果を計算機システムにインターネットを介して伝送する。
【００９０】
ワンタッチ・メール通信釦機能は前もってよく通信する相手のアドレスを登録し、簡単にメールを伝送できる機能である。当該発明では英数字画像解析・抽出プログラムがインストールされている計算機システムのメール・アドレスを登録する。
【００９１】
計算機システムにはメール・プログラム、数字画像解析・抽出プログラム、在宅健康管理システムの各プログラムがインストールされている。
【００９２】
メール・プログラムは画像データを受け取るためのプログラムである。当該発明では携帯電話で撮影された血圧計の測定結果が撮影された液晶画面を撮影した写真が写真メール機能でインターネットを介し、伝送されてくる。
【００９３】
計算機システムでは英数字画像解析・抽出プログラムで識別されたディジタル化測定数値を在宅健康管理システムに送る。
【産業上の利用可能性】
【００９４】
当該実施例は、在宅で健康管理に使用する血圧計・血糖値計・体重計・体温計の健康測定器の表示する数字情報を撮影し、写真メールで健康管理センターに送る、在宅健康管理システムの在宅端末として組み込んだ例であるが、入力端末として用いた利用者所有の携帯電話機・スマート・フォンを活用し、産業用計測機器の測定値をカメラ機能で撮影し、画像として計算機システムに伝送する入力方式でも良い。
【００９５】
計算機システムでは伝送されてきた数字情報を画像解析、ディジタルの数字情報として抽出するとともに電話番号を付加する機能の部分に関しては、その対象が計測機器で表示される液晶の数字情報だけでなく、テレビ・コマーシャルで流される液晶テレビの画面に映し出される映像の数字情報や家庭に配られて来るカタログなどの印刷の数字情報でも良い。
【００９６】
利用者の自宅に配られたチラシや、新聞折込広告の中から宅配寿司や宅配ピザもしくは地元商店街の特売情報から購入したい物品の商品番号を撮影し、写メールで宅配寿司や宅配ピザもしくは地元商店街の事務所に送れば、宅配商品の注文システムとして活用することが可能である。
【００９７】
携帯電話機やスマート・フォンの代わりにディジタル・カメラで各種数字情報を撮影し、パーソナル・コンピュータを介してメールの画像添付ファイルとして送る方法でも良い。
【００９８】
パーソナル・コンピュータの一種であるＷｅｂカメラ付きタブレット・コンピュータも入力装置として用いることも可能である。
【００９９】
当該携帯電話文字情報写真メール・データ入力方式の端末をon-lineのＷｅｂカメラにして、工場におけるoff-lineの各種測定器の液晶で表示する数字情報を撮影し、写真メールで工場の監視センターに送ることで、プラント管理システムの遠隔端末として組み込むことが可能である。
【０１００】
液晶テレビの画面にコマーシャルで映しだされる商品番号を撮影して写メールで通販会社に注文することもできる。
【符号の説明】
【０１０１】
１  マーカーを貼る前の血圧計
２  マーカーを血圧計に貼る時に用いるマーカー貼付位置テンプレート
３  血圧計に貼る基点と“１”を意味する赤色のマーカー
４  血圧計に貼る“０”を意味する緑色のマーカー
５  血圧計の液晶画面の乱反射を防ぐフィルター
６  マーカーを貼った後の血圧計
７  血圧計に貼られた測定値の数字情報を抽出するためのマーカー（基点）
８  血圧計に貼られた測定値の数字情報を抽出するためのマーカー（ＭＳＢ）
９  血圧計に貼られた測定値の数字情報を抽出するためのマーカー（ＬＳＢ）
１０  血圧を測った結果が液晶画面に表示されたマーカーを貼った血圧計
１１  血圧計の液晶画面を撮影し写真メールで計算機システムに送った携帯電話機とその画面
１２  インターネット
１３  画像解析プログラムが写真メールを受信した時の計算機システムの端末画面
１４  画像解析プログラムが受信したマーカーのＭＳＢからＬＳＢまでの８進数１桁からフォントの種類を抽出した時の計算機システムの端末画面
１５  被写体別数字切り出しテンプレート／使用数字フォント・テーブル
１６  血圧用数字切り出しテンプレート
１７  血圧用数字フォント
１８  血圧計の写真とテンプレートを重ね合わせる時のイメージ図
１９  血圧計の写真とテンプレートが重ね合わされた図
２０  写真の測定値部分が切り出された図、
２１  切り出された測定値部分が桁順に分離された図
２２  写真の背景色を切り出す時のイメージ図
２３  血圧計の数字フォントと写真の背景色とを重ねて照合用数字フォントを作成する時のイメージ図
２４  写真から切り出した測定値と照合用数字フォントとを桁毎に照合する時のイメージ図
２５  写真メールで受け取った血圧値（画像）をディジタル化して取得した血圧測定値を表示した計算機システムの端末画面
２６  遠隔数字画像情報携帯電話機写真メール・データ入力方式の申請範囲
２７  メール・プログラム、数字画像解析・抽出プログラムと在宅健康管理システムからなる計算機システムの範囲
２８  メール・プログラム、数字画像解析・抽出プログラムと在宅健康管理システムからなる計算機システムの範囲
２９  数字画像解析・抽出プログラムの範囲
３０  在宅健康管理システムの概念図
３１  利用者の在宅における血圧を測り送る動作の範囲
３２  血圧を測っている利用者
３３  受信した画像から測定値の数字情報を抽出した後のイメージ図
３４  抽出した測定値の数字情報を桁毎に分割する時のイメージ図
３５  桁毎に分割し抽出した数字情報の最上位桁のイメージ図
３６  最上位から最下位までの桁毎の数字情報抽出過程
３７  桁毎に分割し抽出した数字情報の最下位桁のイメージ図
３８  測った結果を液晶画面に表示した血糖値計
３９  血糖値計用マーカー位置貼付用テンプレート
４０  血糖値計用数字フォント
４１  測った結果を液晶画面に表示した体重計
４２  体重計用マーカー位置貼付用テンプレート
４３  体重計用数字フォント
４４  宅食弁当カタログ印刷例
４５  宅食弁当カタログ用マーカー位置貼付用テンプレート
４６  宅食弁当カタログ用数字フォント
４７  入力釦からの手入力方式のイメージ図
４８  Felicaの送信機能を使った近距離非接触通信入力方式のイメージ図
４９  入力アダプターで携帯電話機と血糖値計を接続したアダプター接続入力方式のイメージ図
５０  歩数計を携帯電話機に内臓した内蔵入力方式のイメージ図
５１  携帯電話機によるＱＲコード(登録商標）入力方式のイメージ図
５２  利用者の自宅での健康管理フロー
５３  携帯電話機による問診送信のイメージ図
５４  利用者が在宅健康管理システムから送られてきたレポートの閲覧
５５  携帯電話機のテレビ電話機能を活用した担当医師の問診および健康アドバイス
５６  携帯電話文字情報写メール・データ入力方式のプログラムを処理する計算機システムと在宅健康管理システム・宅配管理システムを運用する計算機センター
５７  利用者の健康に関しアドバイスをする担当の保健師
５８  利用者の健康に関しアドバイスをする担当の医師
５９  利用者の自宅での宅配弁当管理フロー
６０  利用者が宅配弁当の注文を考えているイメージ図
６１  宅配弁当のメニュー
６２  宅配弁当のメニューから日替わりコースを選んで携帯電話のカメラ機能で注文する弁当の写真を撮ったイメージ図
６３  携帯電話のカメラ機能で写真を撮った弁当を写真メールで宅配弁当屋へ送るイメージ図
６４  宅配弁当屋が利用者宅へ注文された弁当を配達するイメージ図
６５  利用者が自宅で宅配弁当を食べているイメージ図
６６  宅配弁当屋
【図１】
2014137713.tif 000003
【図２】
2014137713.tif 000004
【図３】
2014137713.tif 000005
【図４】
2014137713.tif 000006
【図５】
2014137713.tif 000007
【図６】
2014137713.tif 000008